(57)【要約】【課題】基板が薄肉化されても、常に安定して、セル内に液晶を気泡を巻き込むことなく簡単且つ円滑に注入可能な液晶注入装置を提供する。【解決手段】液晶注入装置は外槽３と４個の樋状をなす液晶貯溜溝４からなり、外槽３の一対の短手側壁３１、３１には、夫々１３個の位置規制柵３１１が等間隔に立設され、この短手側壁３１に平行に、４個の液晶貯溜溝４が等ピッチｐ1で配置され、各液晶貯溜溝４の一対の側板４２には、前記位置規制柵３１１に対応させて１３個の鋸歯４２１が同ピッチで形成され、液晶を注入すべきセルアレイパネル１が、その注入穴側端面１１を隣り合う鋸歯４２１、４２１の傾斜端面４２１ａ、４２１ａが対向するＶ字空間４２２に支持され、反注入穴側端部を櫛歯竿５の対応する一対の櫛歯５１、５１間の保持空間５２に収容され、液晶面に略垂直な注入姿勢に保持されている。【選択図】図１
2010210759.tif 000002
【特許請求の範囲】
【請求項１】
一対の基板が枠状シール材により接合され、前記シール材の少なくとも一部分を切り欠いて液晶の注入穴が形成されてなる液晶パネルに対し、前記一対の基板と前記シール材で囲まれた空間内に前記注入穴を介して液晶を注入するための液晶注入装置であって、液晶を所定の液面レベルまで満たして溜めるための液晶貯溜溝と、
前記液晶パネルを、前記液晶貯溜槽の深さ方向において、前記注入穴の少なくとも外部に開いた開口全体が貯溜された液晶中に浸される位置に、支持するパネル先端面支持部と、
前記深さ方向に対して傾斜する斜面を備え、支持すべき先端面部分を前記斜面上を摺動させつつ前記パネル先端面支持部にガイドする斜面ガイド部と、
前記液晶パネルを、前記液晶貯溜溝の幅方向において、前記注入穴の少なくとも外部に開いた開口全体が貯溜された液晶中に浸される位置に、規制する一対のパネル側端面規制部と、
前記液晶パネルを、前記注入穴の少なくとも外部に開いた開口全体が貯溜された前記液晶中に浸された状態で、パネル主面が液晶表面に対し起伏した所期の注入姿勢に保持するパネル姿勢保持部とを、
有することを特徴とする液晶注入装置。
【請求項２】
前記パネル先端面支持部と前記斜面ガイド部は、前記貯溜溝の側板に形成され、溝底部に向かうに従い徐々に対向間隔が狭くなる、一対の対向する傾斜端面からなることを特徴とする請求項１記載の液晶注入装置。
【請求項３】
前記側板の溝底部とは反対側の上端部に、少なくとも一対の三角形が斜辺を対向させて溝の延在方向に連なる形状の鋸歯が形成されていることを特徴とする請求項２に記載の液晶注入装置。
【請求項４】
注入対象ワークとしての前記液晶パネルが、それぞれが１個の液晶注入空間を備えた平面外形が矩形をなす複数個の液晶セルを、各注入穴が設けられた端面の延在方向を揃えて並列設置し形成されたセルアレイ体であり、
前記液晶セルの個数と同数の前記液晶貯溜溝を備えていることを特徴とする請求項１乃至請求項３のうちの何れかの請求項に記載の液晶注入装置。
【請求項５】
対向する前記傾斜端面が複数対設けられ、前記パネル姿勢保持部が複数枚の液晶パネルを同時に前記注入姿勢に保持可能であることを特徴とする請求項１乃至請求項４のうちの何れかの請求項に記載の液晶注入装置。
【請求項６】
液晶の注入穴が設けられた枠状シール材により一対の基板を接合する貼りあわせ工程と、
前記一対の基板と前記シール材で囲まれた空間内に前記注入穴を介して液晶を注入する液晶注入工程と、を有する液晶パネルの製造方法であって、
前記液晶注入工程は、
液晶貯溜溝に液晶を所定の液面レベルまで満たして溜める工程と、
前記液晶貯溜溝に貯溜された液晶中に前記注入穴が浸されるように前記液晶パネルを前記液晶貯溜溝に設置する工程と、からなり、
前記液晶パネルを設置する工程は、前記注入穴が設けられた一辺が前記液晶貯溜槽に延伸する傾斜面を摺動するようにさせて前記液晶パネルを前記液晶貯溜溝に導くことを特徴とする液晶パネルの製造方法。
【発明の詳細な説明】
【技術分野】
【０００１】
この発明は、一対の基板を貼り合せて液晶セルを形成した後、セル内に液晶を注入する液晶注入装置に関する。
【背景技術】
【０００２】
従来、液晶表示パネルを少ない工数で効率良く製造する方法として、大面積の薄肉ガラス基板間に多数個の液晶表示セルを例えばマトリックス配置で形成し、この大面積パネルを各液晶表示セルの液晶注入口が同じ端部側に揃って並ぶ行ごとに切離して液晶表示セルの並設集合体（以下、セルアレイパネルという）を形成し、このセルアレイパネル毎に各液晶表示セル内に液晶を一括注入した後、個々の液晶表示セルに切離する方法が用いられている。
【０００３】
この場合の一括液晶注入方法として、例えば、特許文献１に示されるようなスプリングを利用した方法が知られている。この液晶注入方法は、液晶皿の溝部に貯溜された液晶中に、複数の例えばコイルスプリングを、一括注入する液晶表示セルの個数だけ先端部を液面から僅かに突出させた姿勢で等間隔に並べて立設し、各コイルスプリングの突出先端に各液晶表示セルの注入口を当接させ、セル内の気圧（通常は略真空状態）とセル外の気圧の差により液晶を注入するものである。コイルスプリングの突出先端部には、液晶が表面張力により盛り上がっており、この液晶盛り上がり部のコイルスプリングに液晶注入口を弾接させることにより、液晶注入口全体及びその周囲部分だけを液晶に接触させ、液晶セルのその他の部分を液晶に接触させることなく、液晶を各セル内に注入することができる。
【先行技術文献】
【特許文献】
【０００４】
【特許文献１】特開２００３−１８６０２８号公報
【発明の概要】
【発明が解決しようとする課題】
【０００５】
一方、液晶表示パネルに対しては、モバイル機器のディスプレイ等に用途が広がるにつれ、小型薄型化の要求が強くなり、全体の厚みに占める割合が大きい液晶表示パネルの基板の厚さを薄くすることによって薄型化か推進されている。
【０００６】
しかるに、基板を薄肉化すると、液晶表示パネルが撓みやすくなり、複数個の液晶表示セルが並設された上述のセルアレイパネルでは、中央部が大きく撓んでセルアレイパネル全体が反った状態に変形し易い。セルアレイパネルに反り変形が生じると、上述したコイルスプリングによるスポット注入方式では、全ての液晶注入口を対応するコイルスプリングの先端に確実に当接させることが難しくなる。注入口が対応するコイルスプリングの先端部からずれた状態で液晶の注入を行うと、注入口から液晶セル内に気泡巻き込む虞があり、その結果、液晶表示パネルの品質低下と歩留まりの低下を招くことになる。
【０００７】
本発明の目的は、液晶パネルの品質と歩留まりの低下を招く液晶注入時における気泡の巻き込みを確実に防止し、少ない工数で効率良く複数の液晶セル内に液晶を一括注入できる液晶注入装置を提供することである。
【課題を解決するための手段】
【０００８】
本発明の請求項１に記載の液晶注入装置の発明は、一対の基板が枠状シール材により接合され、前記シール材の少なくとも一部分を切り欠いて液晶の注入穴が形成されてなる液晶パネルに対し、前記一対の基板と前記シール材で囲まれた空間内に前記注入穴を介して液晶を注入するための液晶注入装置であって、液晶を所定の液面レベルまで満たして溜めるための液晶貯溜溝と、前記液晶パネルを、前記液晶貯溜槽の深さ方向において、前記注入穴の少なくとも外部に開いた開口全体が貯溜された液晶中に浸される位置に、支持するパネル先端面支持部と、前記深さ方向に対して傾斜する斜面を備え、支持すべき先端面部分を前記斜面上を摺動させつつ前記パネル先端面支持部にガイドする斜面ガイド部と、前記液晶パネルを、前記液晶貯溜溝の幅方向において、前記注入穴の少なくとも外部に開いた開口全体が貯溜された液晶中に浸される位置に、規制する一対のパネル側端面規制部と、前記液晶パネルを、前記注入穴の少なくとも外部に開いた開口全体が貯溜された前記液晶中に浸された状態で、パネル主面が液晶表面に対し起伏した所期の注入姿勢に保持するパネル姿勢保持部とを、有することを特徴とするものである。
【０００９】
請求項２に記載の発明は、請求項１の液晶注入装置において、前記パネル先端面支持部と前記斜面ガイド部は、前記貯溜溝の側板に形成され、溝底部に向かうに従い徐々に対向間隔が狭くなる、一対の対向する傾斜端面からなることを特徴とするものである。
【００１０】
請求項３に記載の発明は、請求項２に記載の液晶注入装置において、前記側板の溝底部とは反対側の上端部に、少なくとも一対の三角形が斜辺を対向させて溝の延在方向に連なる形状の鋸歯が形成されていることを特徴とするものである。
【００１１】
請求項４に記載の発明は、請求項１乃至請求項３のうちの何れかの請求項に記載の液晶注入装置において、注入対象ワークとしての前記液晶パネルが、それぞれが１個の液晶注入空間を備えた平面外形が矩形をなす複数個の液晶セルを、各注入穴が設けられた端面の延在方向を揃えて並列設置し形成されたセルアレイ体であり、前記液晶セルの個数と同数の前記液晶貯溜溝を備えていることを特徴とするものである。
【００１２】
請求項５に記載された発明は、請求項１乃至請求項４のうちの何れかの請求項に記載の液晶注入装置において、対向する前記傾斜端面が複数対設けられ、前記パネル姿勢保持部が複数枚の液晶パネルを同時に前記注入姿勢に保持可能であることを特徴とするものである。
【００１３】
請求項６に記載の液晶パネルの製造方法の発明は、液晶の注入穴が設けられた枠状シール材により一対の基板を接合する貼りあわせ工程と、前記一対の基板と前記シール材で囲まれた空間内に前記注入穴を介して液晶を注入する液晶注入工程と、を有する液晶パネルの製造方法であって、前記液晶注入工程は、液晶貯溜溝に液晶を所定の液面レベルまで満たして溜める工程と、前記液晶貯溜溝に貯溜された液晶中に前記注入穴が浸されるように前記液晶パネルを前記液晶貯溜溝に設置する工程と、からなり、前記液晶パネルを設置する工程は、前記注入穴が設けられた一辺が前記液晶貯溜槽に延伸する傾斜面を摺動するようにさせて前記液晶パネルを前記液晶貯溜溝に導くことを特徴とするものである。
【発明の効果】
【００１４】
本発明の液晶注入装置によれば、気泡を巻き込むことなく作業性良く容易に複数の液晶セルに対して液晶を一括注入することができる。
【図面の簡単な説明】
【００１５】
【図１】(ａ)は本発明の一実施形態としての液晶注入装置を示した平面図で、(ｂ)はそのＢ−Ｂ線断面図である。
【図２】上記液晶注入装置に供せられるセルアレイパネルを示す立面図である。
【図３】上記液晶注入装置による液晶注入動作における要部を詳細に示す模式的断面図である。
【図４】液晶注入動作における上記要部を詳細に示した斜視図である。
【図５】本発明の他の実施形態を示す図１(ｂ)に対応した模式的断面図である。
【発明を実施するための形態】
【００１６】
図１(ａ)はワークとしてのセルアレイパネルがセットされた本発明の一実施形態としての液晶注入装置を示した平面図で、(ｂ)はそのＢ−Ｂ線断面図、図２はセルアレイパネルだけを示した立面図、図３は液晶注入動作を説明するために要部を拡大して示した模式的断面図である。
【００１７】
まず、ワークとしてのセルアレイパネルについて、図２に基づき説明する。本実施形態のセルアレイパネル１では、４個の平面外形が矩形をなす同一液晶表示セル２ａ〜２ｄがそれぞれの長手方向を平行にして並列形成されている。これら液晶表示セル２ａ〜２ｄは、夫々、矩形枠状をなすシール材２１により、２枚のガラス基板１１、１２を接合すると共にガラス基板１１、１２間における個々のセル空間を区画して形成されている。
【００１８】
各シール材２１には、その一部を切り欠いて液晶を注入するための注入穴２２がそれぞれ形成されている。各注入穴２２は、それぞれの注入口２２１がセルアレイパネル１の一方の長手端面１３に沿って揃って開口する位置に設けられている。したがって、各注入口２２１の開口位置は、長手端面１３に沿った位置であれば、矩形をなす各液晶表示セル２ａ〜２ｄの短手端面の中央に設けられていなくてもよい。
【００１９】
上述のように構成されたセルアレイパネル１における液晶表示セル２ａ〜２ｄの各セル空間内に、以下に示す液晶注入装置により液晶を注入し、各注入穴２２を封止した後、セルアレイパネル１を二点鎖線で示す切断線ｓに沿って切断すれば、個々の液晶表示パネルが得られる。
【００２０】
図１(ａ)に示すように、本実施形態の液晶注入装置は、大略、外形が直方体の箱状をなす外槽３と、４個の液晶貯溜溝４、及びパネル姿勢保持具５とから成る。
【００２１】
外槽３の対向する一対の短手側壁３１、３１の内面には、夫々、複数の位置規制柵３１１が立設されている。これら位置規制柵３１１は、ワークとしてセットされる複数枚のセルアレイパネル１の並置方向Ｘ（短手側壁３１に平行な方向）における位置を規制するために設けられており、本実施形態では、各短手側壁３１の内面に１３本づつの位置規制柵３１１が夫々等間隔に立設されている。各位置規制柵３１１は、外槽３の深さ方向Ｚの略全長にわたり延在形成され、隣り合う位置規制柵３１１、３１１間の間隔ｄ311は、セルアレイパネル１の厚さｔよりも若干大きい寸法に設定されている。
【００２２】
なお、ワークとして外槽３内にセットされるセルアレイパネル１の長手側壁３２に並行なＹ方向における位置は、短手側壁３１の内面により規制される。
【００２３】
４個の液晶貯溜溝４は、夫々、図３に示されるように断面がコの字形の樋状に形成されている。各液晶貯溜溝４は、底板４１とその両側端部に立設された一対の側板４２、４２からなり、各側板４２の溝底部とは反対側の上端部は、夫々、図１(ｂ)に示されるように鋸歯状に形成されている。本実施形態では、外槽３の各側壁３１に設けられているパネル位置規制柵３１１と同数の１３個の鋸歯４２１が形成されている。各鋸歯４２１は、頂角が切除された略二等辺三角形をなしており、したがって、各鋸歯４２１間には、逆二等辺三角形状のＶ字空間４２２が形成されている。
【００２４】
ここで、各鋸歯４２１を形成する一対の傾斜端面４２１ａ、４２１ａが、セルアレイパネル１の注入穴２４が設けられた側の端面を液晶注入位置、つまり注入穴２２の少なくとも外部に開いた注入口２２１全体が貯溜された液晶中に浸される位置、にガイドする本発明の斜面ガイド部となり、Ｖ字空間４２２を形成する隣り合う傾斜端面４２１ａ、４２１ａの対向間隔ｄ421がセルアレイパネル１の厚さｔと等しくなるレベルＬ1の位置が、本発明におけるパネル先端面支持部となる。
【００２５】
各液晶貯溜溝４は、その幅ｗ4の大きさがセルアレイパネル１の注入穴２４の長さｍ2よりも適長大きく設定され、セルアレイパネル１における各液晶表示セル２ａ〜２ｄのピッチｐ1と同一ピッチｐ1で並列に設置されている。
【００２６】
外槽３の上面は開放されており、この上面開放口には、セルアレイパネル１を所期の注入姿勢に保持する櫛歯竿５が架設されている。本実施形態では、１本の櫛歯竿５が外槽３の長手方向（Ｙ方向）における中心位置に装架されている。櫛歯竿５の下面には、前述した液晶貯溜溝４の側板４２に設けられている鋸歯４２１と同数の櫛歯５１が同一ピッチで突設されている。各櫛歯５１は、平面外形が矩形に二等辺三角形を組み合わせた五角形をなし、隣り合う櫛歯５１、５１間には、それぞれ、セットされるセルアレイパネル１の反注入側端部を収容保持するための矩形をなす保持空間５２が形成されている。したがって、この保持空間５２の幅ｗ52は、セルアレイパネル１の厚さｔよりも僅かに大きい寸法に設定されている。各櫛歯５１の一対の傾斜端面５１１、５１１は、セルアレイパネル１の反注入側端部を前記保持空間５２へ摺動させつつ案内する斜面ガイド部となる。
【００２７】
なお、外槽３の底部には、液晶貯溜溝４のＶ字空間４２２から不用意に溢れ出た液晶を回収するための図示しない回収機構が設けられている。この回収機構としては、外槽３の底部に単なる回収穴を設けた構成でも良く、また、外槽３の底部だけを独立した皿状に形成し、回収時にその皿だけを外槽３本体から引き出し式に脱装する構成としてもよい。
【００２８】
次に、上述のように構成された本実施形態の液晶注入装置による液晶注入動作について、注入動作に係わる要部を詳細に示した図３、４の模式的断面図と斜視図に基づき説明する。
【００２９】
まず、１２枚のセルアレイパネル１を液晶注入装置にセットする。このとき、各セルアレイパネル１の両短手側端部を、夫々、注入穴２２が設けられた長手端部（以下、注入側端部という）から、外槽３の一方の側壁３１の位置規制柵対３１１、３１１とこれに対向する他方の側壁３１の位置規制柵対３１１、３１１間に挿入し、各位置規制柵３１１の延在方向に沿わせて、つまり槽底部に対し略垂直方向に、落とし込む。
【００３０】
これにより、セルアレイパネル１の注入側端部の端面１３における一方のエッジ部が、各液晶貯溜溝４の対応する傾斜端面４２１ａに当接した後、その傾斜端面に沿って円滑に摺動し、図１(ｂ)に示される対向間隔ｄ421がセルアレイパネル１の厚さｔと等しくなるレベルＬ1に到達したら摺動が阻止され、セルアレイパネル１の落下が停止する。即ち、各セルアレイパネル１の両短手側端部を対応する位置規制柵対３１１、３１１間にそれぞれ挿入するだけの簡単な作業で、図１(ｂ)に示される状態、つまり、各セルアレイパネル１が夫々の液晶表示セル２ａ〜２ｄの各注入穴２２が設けられた端面１３をレベルＬ1のパネル先端面支持部に位置させた状態、に１２枚のセルアレイパネル１が装填される。
【００３１】
また、このとき、ガラス基板１１、１２の薄肉化に起因して、セルアレイパネル１に中央部が相対的に大きく撓む反り等の変形が生じていても、各注入穴２２の注入口２２１を挟む両側の端面が、それぞれ当接する両側板４２の傾斜端面４２１ａ、４２１ａによる円滑な摺動ガイド効果により、強制的にレベルＬ1のパネル先端面支持部に導かれ、反り変形が自ずと矯正される。
【００３２】
次に、外槽３の開口に櫛歯竿５を架設する。このときも、櫛歯竿５を所定の位置（外層３の長手方向中心位置）に装架するだけで、液晶貯溜溝４の鋸歯４２による場合と同様に、１２枚の装填されたセルアレイパネル１の各反注入側端部が、自ずと対応する櫛歯５１、５１間の保持空間５２に収容保持される。即ち、櫛歯竿５を装着することにより、セルアレイパネル１に反り変形が生じその長手中央部が相対的に大きく撓んでいても、対応する傾斜端面の摺動ガイド効果により、当接する反注入側端部が強制的に対応する保持空間５２に案内され収容される。これにより、各セルアレイパネル１は、図１(ｂ)に示されるように、注入側端面が液晶貯溜溝４の側板４２におけるレベルＬ1のパネル先端面支持部に支持され、外槽３の深さ方向に平行に立った、所期の液晶注入姿勢に保持される。
【００３３】
次に、上述のように１２枚のセルアレイパネル１が液晶注入姿勢にセットされた液晶注入装置を、図示しない真空チャンバ内に搬入した後、チャンバ内を排気して真空化する。
【００３４】
次いで、液晶注入装置の液晶貯溜溝４ａ〜４ｄに、液晶を満たす。この際、図１(ｂ)に示すパネル先端面支持部のレベルＬ１よりも高さｈだけ高いレベルＬ2まで液晶を満たす。この高さｈは、少なくとも注入口２２１全域が液晶に浸漬される程度に高く設定されればよいが、本実施形態のように、液晶表示セル２ａ〜２ｄのシール材２１の幅ｗ21よりも若干大きい寸法に設定されることが好ましい。即ち、図３、４に示されるように、各注入穴２４全体が液晶中に充分に浸されるレベルＬ2まで液晶を満たすことが好ましい。なお、図４に示されるように、液晶をレベルＬ2まで満たすと、側壁３１のＶ字空間４２２底部から液晶が溢れ出る虞があるが、不用意な振動を与えなければ、液晶の表面張力によりその溢出が自ずと抑制される。また、液晶が溢れ出たとしても、外槽３底部に設けられた回収機構(不図示)により回収されるから、液晶の歩留まりを低下させることはない。
【００３５】
この後、チャンバ(不図示)内を大気開放すれば、セル内外の気圧の差により、液晶が各注入穴２２を介して液晶表示セル２ａ〜２ｄ内に円滑に進入し、各液晶表示セル２ａ〜２ｄが隙間無く液晶で満たされる。この液晶注入プロセスでは、セルアレイパネル１が適正な液晶注入姿勢に保持されて液晶の注入が開始される以前に、注入穴２２全体が液晶中に確実に浸漬されているから、チャンバ内が大気開放されて液晶の注入が開始される際に気泡をセル内に巻き込む虞はない。
【００３６】
以上のように、本実施形態の液晶注入装置によれば、複数枚の撓み易いセルアレイパネル１でも、夫々の両側端部を外槽３における対応する側壁３１の一対の位置規制柵３１１、３１１間に挿入し、櫛歯竿５を装架するだけの簡単な作業で、液晶貯溜溝４における対応する一対の鋸歯４２１、４２１間のＶ字空間４２２を形成する一対の傾斜端面４２１ａ、４２１ａによる摺動ガイド効果と、櫛歯竿５における対応する一対の櫛歯５１、５１の傾斜端面５１１、５１１による摺動ガイド効果により、全てのセルアレイパネル１が個々に生じた反り等の変形が矯正されて適正な液晶注入姿勢に容易に保持される。したがって、全ての液晶表示セル２ａ〜２ｄの各注入穴２２を常に安定して液晶中に確実に浸漬させることができ、その結果、全ての液晶表示セル２ａ〜２ｄ中に気泡を巻き込むことなく液晶を隙間なく充填でき、高品質の液晶表示パネルを少ない工数で歩留まり良く製造することができる。
【００３７】
次に、本発明の他の実施形態について、図１(ｂ)に対応する模式的断面図である図５に基づき説明する。なお、上記実施形態と同一の構成要素については同一の符号を付して、その説明を省略する。
【００３８】
図５に示されるように、液晶貯溜溝６における側板６１の隣り合う傾斜端面６１１、６１１間に形成される空間が、単なるＶ字形ではなく、底部に矩形をなす保持空間６２１を備えた略Ｖ字空間６２に形成されている。また、外槽７の側壁７１に設けられた位置規制柵７１１間の空間を上記実施形態よりも大きく確保し、隣り合う位置規制柵７１１、７１１の対向する各側面に、くの字型の板バネ８、８が、各頂点部をセルアレイパネル１の厚さｔより若干小さい寸法だけ離隔させて、対向設置されている。その他の構成は、上記実施形態と同じである。
【００３９】
上述のように構成された本実施形態の液晶注入装置による場合、隣り合う位置規制柵７１１、７１１間の間隔が上記実施形態の場合よりも広く確保されているから、セルアレイパネル１を外槽７にセットする際に、セルアレイパネル１の両側端部を位置規制柵７１１、７１１間により簡単に挿入できる。また、セルアレイパネル１の注入側先端部が傾斜端面６１１、６１１にガイドされて略Ｖ字空間６２の底部矩形空間６２１に円滑且つ容易に嵌合挿入され、且つ、一対の板バネ８、８によりセルアレイパネル１全体が液晶貯溜溝６の底面（液晶表面）に対して垂直な方向にガタツキなく挟持される。したがって、セルアレイパネル１が比較的小面積で生じ反り変形が小さい場合は、上記実施形態にける櫛歯竿５のような外層開口に架設するパネル姿勢保持部材を省略しても、各セルアレイパネル１を所期の注入姿勢に保持することができる。即ち、この実施形態においては、板バネ８が本発明のパネル姿勢保持部となる。その結果、セルアレイパネル１を外槽７にセットする際はセルアレイパネル１の両側端部を間隔が広く確保された一対の位置規制柵７１１、７１１間に挿入するだけの簡単な作業で済み、液晶中への気泡の巻き込みのない高品質な液晶表示パネルを、より少ない工数で歩留まり良く安定的に製造することができる。
【００４０】
なお、本発明は、上記の実施形態に限定されるものではない。
例えば、パネル先端面支持部と斜面ガイド部は、液晶貯溜溝の側板に設けず、液晶貯溜溝間に鋸歯を備えた専用部材を別個に設置してもよい。この場合、液晶貯溜溝の側板に鋸歯を設けないから、液晶の漏出が抑制される。
【００４１】
また、セルアレイパネル１の所期の液晶注入姿勢は、必ずしも液晶液面に対して垂直に設定する必要はなく、複数のセルアレイパネル１をそれぞれ所定角度だけ互いに平行に傾斜させてもよい。これにより、液晶注入時間を短縮することができる。
【符号の説明】
【００４２】
１                        セルアレイパネル
１１、１２                ガラス基板
２ａ〜２ｄ                液晶表示セル
２１                      シール材
２２                      注入穴
２２１                    注入口
３、７                    外槽
３１、７１                側壁
３１１、７１１            位置規制柵
４、６                    液晶貯溜溝
４１                      底板
４２                      側板
４２１                    鋸歯
４２１ａ                  傾斜端面
４２２                    Ｖ字空間
５                        櫛歯竿
５１                      櫛歯
５２                      保持空間
６１                      側板
６２                      略Ｖ字空間
６２１                    保持空間
８                        板バネ
【図１】
2010210759.tif 000003
【図２】
2010210759.tif 000004
【図３】
2010210759.tif 000005
【図４】
2010210759.tif 000006
【図５】
2010210759.tif 000007